(57)【特許請求の範囲】
【請求項１】
非接触型のＩＣカードリーダーを収納するハウジング本体と、該ハウジング本体に開閉可能に装着されるカバー部と、を有するハウジングと、
該ハウジング内に配置される取付ベースと、
該取付ベースの収納部に配置され、表面及び裏面に前記ＩＣカードリーダーの載置高さが前記カバー部に対して異なる第１取付面と第２取付面とが形成された取付アタッチメントと、
を備え、
前記取付アタッチメントを表裏方向に反転させて前記収納部に配置することにより、前記第１取付面または前記第２取付面のいずれかを選択して前記ＩＣカードリーダーを取り付け可能とし、
前記カバー部の表面をＩＣカードの接触面としたＩＣカードリーダー取付部。
【請求項２】
前記取付ベースは、ＩＣカードリーダーのＵＳＢケーブルを巻き取るケーブル巻取り部を有することを特徴とする請求項１に記載のＩＣカードリーダー取付部。
【請求項３】
前記ケーブル巻き取り部は、前記取付ベースの複数の箇所に選択的に配置されることを特徴とする請求項２に記載のＩＣカードリーダー取付部。
【請求項４】
前記ケーブル巻き取り部は、前記取付ベースとの連結部分に設けられた回動支点を中心として、前記取付ベースの表裏方向に回動可能に支持され、前記取付ベースの側面又は下面に選択的に配置されることを特徴とする請求項３に記載のＩＣカードリーダー取付部。
【請求項５】
前記ケーブル巻き取り部は、前記取付ベースの複数の箇所に選択的に着脱可能に配置されることを特徴とする請求項３に記載のＩＣカードリーダー取付部。
【請求項６】
前記カバー部の少なくとも一部が透明材料で形成されていることを特徴とする請求項１乃至請求項５のいずれかに記載のＩＣカードリーダー取付部。
【請求項７】
請求項１乃至請求項６のいずれかに記載のＩＣカードリーダー取付部を備えた画像形成装置。
【請求項８】
前記ＩＣカードリーダー取付部は、画像形成装置本体から側方に突出するように配置されており、画像形成装置本体に対して上下に回動可能であることを特徴とする請求項７に記載の画像形成装置。
【請求項９】
前記ＩＣカードリーダー取付部は、画像形成装置本体に対して左右に回動可能であることを特徴とする請求項８に記載の画像形成装置。
【請求項１０】
前記ＩＣカードリーダー取付部に隣接して画像形成装置本体から側方に突出する操作パネルを備え、前記ＩＣカードリーダー取付部及び前記操作パネルは、それぞれ画像形成装置本体に対して独立して上下に回動可能であることを特徴とする請求項８又は請求項９に記載の画像形成装置。
【発明の詳細な説明】
【技術分野】
【０００１】
本発明は、複写機、プリンター、ファクシミリ等の画像形成装置に関し、特に画像形成装置へのＩＣカードリーダーの取り付け構造に関するものである。
【背景技術】
【０００２】
従来、画像形成装置に対するセキュリティ強化等の要求により、個人情報、セキュリティ認証情報等のＩＣカード情報を読み取るＩＣカードリーダーを備えた画像形成装置が知られている。そして、ＩＣカードから読み取られた情報が適正であれば画像形成装置が作動し、読み取られた情報が適正でない場合は画像形成装置の作動を停止することで、画像形成装置の不正使用を防止する。
【０００３】
このような画像形成装置として、例えば特許文献１には、ＩＣカードリーダーと取付部との間に弾性体を設けることにより、ＩＣカードをＩＣカードリーダーに接触させたときの衝撃を吸収するようにした画像形成装置が開示されている。
【先行技術文献】
【特許文献】
【０００４】
【特許文献１】特開２０１０−２７１６７１号公報
【発明の概要】
【発明が解決しようとする課題】
【０００５】
ところで、従来の構成では、ＩＣカードリーダーは予め画像形成装置の操作パネルに固定されているか、或いはオプションで取り付けられており、特定のＩＣカードリーダーのみが取り付け可能であった。
【０００６】
しかしながら、一般に使用されているＩＣカードリーダーは多種多様であり、ＩＣカードリーダーの仕様によってカードリーダー本体の厚みやＵＳＢケーブルの長さ等もまちまちである。また、ユーザーが既に使用しているＩＣカードリーダーの取り付けを希望する場合も考えられる。上記の要望により、多種多様のＩＣカードリーダーを搭載可能な画像形成装置が望まれていた。
【０００７】
本発明は、上記問題点に鑑み、簡単な作業で複数種のＩＣカードリーダーを取り付け可能なＩＣカードリーダー取付部及びそれを備えた画像形成装置を提供することを目的とする。
【課題を解決するための手段】
【０００８】
上記目的を達成するために本発明は、ＩＣカードリーダーを収納するハウジング本体と、該ハウジング本体に開閉可能に装着されるカバー部と、を有するハウジングと、該ハウジング内に配置される取付ベースと、該取付ベースの収納部に配置され、表面及び裏面にＩＣカードリーダーの載置高さが異なる第１取付面と第２取付面とが形成された取付アタッチメントと、を備え、前記取付アタッチメントを表裏方向に反転させて前記収納部に配置することにより、前記第１取付面または前記第２取付面のいずれかを選択してＩＣカードリーダーを取り付け可能としたＩＣカードリーダー取付部である。
【０００９】
また本発明は、上記構成のＩＣカードリーダー取付部において、前記取付ベースは、ＩＣカードリーダーのＵＳＢケーブルを巻き取るケーブル巻取り部を有することを特徴としている。
【００１０】
また本発明は、上記構成のＩＣカードリーダー取付部において、前記ケーブル巻き取り部は、前記取付ベースの複数の箇所に選択的に配置されることを特徴としている。
【００１１】
また本発明は、上記構成のＩＣカードリーダー取付部において、前記ケーブル巻き取り部は、前記収納部に回動可能に支持されることを特徴としている。
【００１２】
また本発明は、上記構成のＩＣカードリーダー取付部において、前記ケーブル巻き取り部は、前記収納部の複数の箇所に着脱可能に支持されることを特徴としている。
【００１３】
また本発明は、上記構成のＩＣカードリーダー取付部において、前記カバー部の少なくとも一部が透明材料で形成されていることを特徴としている。
【００１４】
また本発明は、上記構成のＩＣカードリーダー取付部を備えた画像形成装置である。
【００１５】
また本発明は、上記構成の画像形成装置において、前記ＩＣカードリーダー取付部は、画像形成装置本体から側方に突出するように配置されており、画像形成装置本体に対して上下に回動可能であることを特徴としている。
【００１６】
また本発明は、上記構成の画像形成装置において、前記ＩＣカードリーダー取付部は、画像形成装置本体に対して左右に回動可能であることを特徴としている。
【００１７】
また本発明は、上記構成の画像形成装置において、前記ＩＣカードリーダー取付部に隣接して画像形成装置本体から側方に突出する操作パネルを備え、前記ＩＣカードリーダー取付部及び前記操作パネルは、それぞれ画像形成装置本体に対して独立して上下に回動可能であることを特徴としている。
【発明の効果】
【００１８】
本発明の第１の構成によれば、取付アタッチメントの表面及び裏面に形成されたＩＣカードリーダーの載置高さが異なる第１取付面または第２取付面のいずれかを選択して使用することにより、厚みの異なるＩＣカードリーダーを簡単に取り付け可能となる。また、ＩＣカードリーダーの厚みに係わらずＩＣカードリーダーの上面（読取面）からハウジング上面（ＩＣカード接触面）までの距離がほぼ一定となるため、ＩＣカードの読み取り性も維持することができる。
【００１９】
また、本発明の第２の構成によれば、上記第１の構成のＩＣカードリーダー取付部において、取付ベースにＩＣカードリーダーのＵＳＢケーブルを巻き取るケーブル巻取り部を設けることにより、ＩＣカードリーダーのＵＳＢケーブルをコンパクトに収納することができる。また、ＵＳＢケーブルの巻取り量を変えることによりＵＳＢケーブルの長さを簡単に調節することができる。
【００２０】
また、本発明の第３の構成によれば、上記第１又は第２の構成のＩＣカードリーダー取付部において、ＩＣカードリーダーからのＵＳＢケーブルの突出方向や突出位置、ＩＣカードリーダー本体の厚み等に応じて、ケーブル巻き取り部を取付ベースの複数の箇所に選択的に配置可能とすることにより、ＵＳＢケーブルを過度に折り曲げたり湾曲させたりすることなく、ケーブル巻取り部にコンパクトに巻き取ることができる。また、ＵＳＢケーブルの劣化や破損も防止することができる。
【００２１】
また、本発明の第４の構成によれば、上記第３の構成のＩＣカードリーダー取付部において、ケーブル巻き取り部を収納部に回動可能に支持することにより、簡単な構成でケーブル巻き取り部を取付ベースの複数の箇所に選択的に配置することができる。
【００２２】
また、本発明の第５の構成によれば、上記第３の構成のＩＣカードリーダー取付部において、ケーブル巻き取り部を収納部の複数の箇所に着脱可能に支持することにより、簡単な構成でケーブル巻き取り部を取付ベースの複数の箇所に選択的に配置することができる。
【００２３】
また、本発明の第６の構成によれば、上記第１乃至第５のいずれかの構成のＩＣカードリーダー取付部において、カバー部の少なくとも一部を透明材料で形成することにより、ハウジング内に取り付けられたＩＣカードリーダーの種類を目視により確認することができる。
【００２４】
また、本発明の第７の構成によれば、上記第１乃至第６のいずれかの構成のＩＣカードリーダー取付部を備えることにより、ＩＣカードリーダーを用いて不正使用を防止可能であり、且つ、ユーザーの要望に応じた多種多様のＩＣカードリーダーを搭載可能な画像形成装置となる。
【００２５】
また、本発明の第８の構成によれば、上記第７の構成の画像形成装置において、ＩＣカードリーダー取付部が画像形成装置本体から側方に突出するように配置されており、ＩＣカードリーダー取付部を画像形成装置本体に対して上下に回動可能とすることにより、背の低いユーザーである場合やユーザーが車椅子利用者である場合、或いは椅子に座った状態で装置を使用する場合にＩＣカードリーダーの操作性が向上する。
【００２６】
また、本発明の第９の構成によれば、上記第８の構成の画像形成装置において、ＩＣカードリーダー取付部を画像形成装置本体に対して左右に回動可能とすることにより、画像形成装置の横からでもＩＣカードリーダー取付部にＩＣカードを接触させることができ、ＩＣカードリーダーの操作性がさらに向上する。
【００２７】
また、本発明の第１０の構成によれば、上記第８又は第９の構成の画像形成装置において、ＩＣカードリーダー取付部及びＩＣカードリーダー取付部に隣接して画像形成装置本体から側方に突出する操作パネルを、それぞれ画像形成装置本体に対して独立して上下に回動可能とすることにより、背の低いユーザーである場合やユーザーが車椅子利用者である場合、或いは椅子に座った状態で装置を使用する場合にＩＣカードリーダー取付部と操作パネルの両方の操作性が向上する。
【図面の簡単な説明】
【００２８】
【図１】本発明のＩＣカードリーダー取付部を備えたカラー複合機の外観構成を示す斜視図
【図２】図１に示したカラー複合機の操作部１周辺の部分拡大図
【図３】本発明の第１実施形態に係るＩＣカードリーダー取付部３１の外観斜視図
【図４】第１実施形態のＩＣカードリーダー取付部３１の内部構造を示す斜視図
【図５】第１実施形態のＩＣカードリーダー取付部３１に用いられる取付ベース３７の斜視図
【図６】第１実施形態のＩＣカードリーダー取付部３１に用いられる取付アタッチメント４０を表面側（第１取付面４１側）から見た斜視図
【図７】第１実施形態のＩＣカードリーダー取付部３１に用いられる取付アタッチメント４０を裏面側（第２取付面４３側）から見た斜視図
【図８】ＩＣカードリーダー５０を取付アタッチメント４０の第１取付面４１上に載置した状態を示す斜視図
【図９】第２取付面４３を上向きにして取付アタッチメント４０を取付ベース３７の収納部３７ａに収納した状態を示す斜視図
【図１０】ＩＣカードリーダー５０を取付アタッチメント４０の第２取付面４３上に載置した状態を示す斜視図
【図１１】ＩＣカードリーダー５０のＵＳＢケーブル５１を取付ベース３７のケーブル巻取り部３７ｂに巻き付けた状態を示す斜視図
【図１２】本発明の第２実施形態に係るＩＣカードリーダー取付部３１に用いられる取付ベース３７のケーブル巻取り部３７ｂに、ＩＣカードリーダー５０のＵＳＢケーブル５１を巻き付けた状態を示す斜視図
【図１３】第２実施形態のＩＣカードリーダー取付部３１に用いられる取付ベース３７のケーブル巻取り部３７ｂが収納部３７ａに回動可能に支持される構成を示す側面図
【図１４】第２実施形態のＩＣカードリーダー取付部３１に用いられる取付ベース３７のケーブル巻取り部３７ｂが収納部３７ａの複数の位置に着脱可能である構成を示す側面図
【図１５】本発明の第３実施形態に係るＩＣカードリーダー取付部３１を有する操作部１の平面図
【図１６】第３実施形態のＩＣカードリーダー取付部３１の側面図
【図１７】第３実施形態のＩＣカードリーダー取付部３１の斜視図
【図１８】第３実施形態のＩＣカードリーダー取付部３１を下方向に回動させた状態を示す操作部１の斜視図
【図１９】操作パネル３０を下方向に回動させた状態を示す操作部１の斜視図
【図２０】第３実施形態のＩＣカードリーダー取付部３１を右方向に回動させた状態を示す操作部１の斜視図
【発明を実施するための形態】
【００２９】
以下、図面を参照しながら本発明の実施形態について説明する。図１は、本発明のＩＣカードリーダー取付部を備えた画像形成装置の外観構成を示す斜視図である。図１において、カラー複合機１００は、本体ハウジング２０と、本体ハウジング２０の上部に配設された上ハウジング２１とから成る。上ハウジング２１内には、原稿の画像を電気信号として読み取るための画像読取部が設けられ、他方、本体ハウジング２０内には、読み取った原稿画像の電気信号に基づいて用紙に画像を形成するための各種機構が設けられる。
【００３０】
本体ハウジング２０は、下ハウジング２０ａと、その上方且つ装置奥側に沿って位置し上ハウジング２１に連結される連結ハウジング２０ｂとから構成され、下ハウジング２０ａの内部には、用紙を給紙する給紙機構や、用紙上にトナー画像を形成する画像形成部や、用紙上のトナー画像を定着するための定着部等が設けられ、他方、連結ハウジング２０ｂの内部には、定着後の用紙を搬送して排出するための用紙排出部が設けられている。
【００３１】
また、上ハウジング２１の直下における連結ハウジング２０ｂの側方には、装置の正面側に向けて大きく開放された胴内排紙空間が形成されており、この胴内排紙空間には、連結ハウジング２０ｂの正面側に設けられた用紙排出口（図示せず）から水平方向に排出される用紙を受け取って積載するための用紙排出トレイ２３が設けられている。下ハウジング２０ａの下部には、種々のサイズの用紙を収納し、正面から出し入れ可能な給紙カセット２５が配設されている。
【００３２】
上ハウジング２１の上面には、透明なガラス板からなる原稿載置台（図示せず）や、装置前面側に突出した操作部１が配設されている。更に、上ハウジング２１の上方には、原稿載置台における画像読取位置に原稿を搬送するための原稿搬送装置２７を搭載した原稿押さえ２８が、上ハウジング２１の背面のヒンジ部（図示せず）によって開閉自在に支持されている。
【００３３】
図２は、図１に示したカラー複合機１００の操作部１周辺の部分拡大図である。操作部１は、液晶表示部３０ａ、操作キー３０ｂ等が設けられた操作パネル３０と、操作パネル３０の右側に隣接して配置され、ＩＣカードリーダーが取り付けられるＩＣカードリーダー取付部３１とで構成されている。液晶表示部３０ａは、カラー複合機１００の状態を示したり、画像形成状況や印刷部数を表示したりするようになっている。操作キー３０ｂは、画像形成を中止する際等に使用するストップ／クリアボタンや、各種設定を行う際に使用する設定キー等から成る。
【００３４】
図３は、本発明の第１実施形態に係るＩＣカードリーダー取付部３１の外観斜視図であり、図４は、第１実施形態のＩＣカードリーダー取付部３１の内部構造を示す斜視図である。ＩＣカードリーダー取付部３１は、操作パネル３０と一体形成されたハウジング本体３２ａと、ヒンジ部３５ａ、３５ｂにおいてハウジング本体３２ａに開閉可能に取り付けられるカバー部３２ｂとで構成されるハウジング３２と、ハウジング３２内に配置される取付ベース３７及び取付アタッチメント４０とで構成されている。
【００３５】
カバー部３２ｂは中央部に開口を有する額縁状であり、開口には内部のＩＣカードリーダーを視認可能とするために透明カバー３３が嵌め込まれている。また、カバー部３２ｂの回動側端部（図３の右端部）には開閉用の指掛け部３４が形成されている。
【００３６】
図５は、取付ベース３７の斜視図であり、図６及び図７は、それぞれ取付アタッチメント４０を表面側及び裏面側から見た斜視図である。取付ベース３７は樹脂製であり、図５に示すように、取付アタッチメント４０が収納される収納部３７ａと、ＩＣカードリーダー５０のＵＳＢケーブル５１（図１１参照）が巻き付けられるケーブル巻取り部３７ｂとが一体形成されている。
【００３７】
取付アタッチメント４０はＩＣカードリーダー５０（図８参照）を支持する樹脂製の平板状部材であり、取付アタッチメント４０の表面側（凸側）は第１取付面４１、裏面側（凹側）は第２取付面４３となっている。第１取付面４１、第２取付面４３は、取付アタッチメント４０上に載置されるＩＣカードリーダー５０の厚みに応じて選択的に使用される。なお、第１取付面４１及び第２取付面４３は、一般に使用されているＩＣカードリーダーのうち最大サイズのものを載置可能な大きさに設計されている。
【００３８】
次に、ＩＣカードリーダー取付部３１へのＩＣカードリーダー５０の取り付け手順について説明する。薄型のＩＣカードリーダー５０を取り付ける場合は、図４に示すように、第１取付面４１を上向きにして取付アタッチメント４０を取付ベース３７の収納部３７ａに収納する。そして、図８に示すように、ＩＣカードリーダー５０を取付アタッチメント４０の第１取付面４１上に載置する。
【００３９】
一方、厚型のＩＣカードリーダー５０を取り付ける場合は、図９に示すように、第２取付面４３を上向きにして取付アタッチメント４０を取付ベース３７の収納部３７ａに収納する。そして、図１０に示すように、ＩＣカードリーダー５０を取付アタッチメント４０の第２取付面４３上に載置する。
【００４０】
次いで、図１１に示すように、ＩＣカードリーダー５０のＵＳＢケーブル５１を取付ベース３７のケーブル巻取り部３７ｂに巻き付けて所定の長さに調節する。その後、ＵＳＢコネクター５３をハウジング３２内のコネクター差込口（図示せず）に差し込み、取付ベース３７をハウジング本体３２ａに収納した後、カバー部３２ｂを閉じてＩＣカードリーダー５０の取り付けを完了する。
【００４１】
本実施形態によれば、取付アタッチメント４０に高さの異なる第１取付面４１及び第２取付面４３が形成されており、ＩＣカードリーダー５０の厚みに応じて第１取付面４１または第２取付面４３のいずれかを選択して使用することで、図８のような薄型のＩＣカードリーダー５０、図１０のような厚型のＩＣカードリーダー５０の両方を取り付け可能となる。また、ＩＣカードリーダー５０の厚みに係わらずＩＣカードリーダー５０の上面（読取面）から透明カバー３３（ＩＣカード接触面）までの距離がほぼ一定となるため、ＩＣカードの読み取り性も維持することができる。
【００４２】
また、取付ベース３７にケーブル巻取り部３７ｂを設けたので、ＩＣカードリーダー５０のＵＳＢケーブル５１をコンパクトに収納することができる。また、ＵＳＢケーブル５１の巻取り量を変えるだけでＵＳＢケーブル５１の長さを簡単に調節することができる。
【００４３】
図１２は、本発明の第２実施形態に係るＩＣカードリーダー取付部３１の取付ベース３７にＩＣカードリーダー５０を取り付けた状態を示す斜視図である。本実施形態のＩＣカードリーダー取付部３１に用いる取付ベース３７は、ＵＳＢケーブル５１を巻き付けるケーブル巻取り部３７ｂを収納部３７ａの側面と裏面とに選択配置可能となっており、図１２ではケーブル巻取り部３７ｂを収納部３７ａの裏面に配置した状態を示している。
【００４４】
収納部３７ａに収納されるＩＣカードリーダー５０からのＵＳＢケーブル５１の突出方向や突出位置、ＩＣカードリーダー５０本体の厚み等によって、ＵＳＢケーブル５１を収納部３７ａの側面側で巻き取る方が円滑に巻き取れる場合と、収納部３７ａの裏面側で巻き取る方が円滑に巻き取れる場合がある。そこで、本実施形態のようにケーブル巻取り部３７ｂを収納部３７ａの複数の位置に移動可能な構成とすることにより、ＩＣカードリーダー５０の仕様に応じてケーブル巻取り部３７ｂの位置を変更することができる。
【００４５】
例えば、ＵＳＢケーブル５１がＩＣカードリーダー５０本体の裏面方向に突出している場合や、ＩＣカードリーダー５０本体の厚みが比較的厚く、ＵＳＢケーブル５１が本体側面の下方から突出している場合は、図１２に示すようにケーブル巻取り部３７ｂを収納部３７ａの裏面に配置する。これにより、ＵＳＢケーブル５１を過度に折り曲げたり湾曲させたりすることなく、ケーブル巻取り部３７ｂにコンパクトに巻き取ることができる。
【００４６】
ケーブル巻取り部３７ｂを収納部３７ａの複数の位置に配置する方法としては、例えば図１３に示すように、収納部３７ａとケーブル巻取り部３７ｂとの連結部分に回動支点６０を設け、回動支点６０を中心としてケーブル巻取り部３７ｂを９０°回動させて、ケーブル巻取り部３７ｂを収納部３７ａの側面側（図の実線）と裏面側（図の破線）とに選択配置する構成が挙げられる。
【００４７】
また、図１４に示すように、収納部３７ａとケーブル巻取り部３７ｂとを着脱可能とし、ケーブル巻取り部３７ｂの連結部分に設けられた突起６１を、収納部３７ａの複数個所（ここでは側面及び底面）に形成された差し込み穴６３ａ、６３ｂのいずれかに挿入することで、ケーブル巻取り部３７ｂを収納部３７ａの側面側と裏面側とに選択配置することもできる。
【００４８】
なお、本実施形態では、ケーブル巻取り部３７ｂを収納部３７ａの側面側と裏面側の２箇所に選択配置可能な構成を例に挙げて説明したが、収納部３７ａの反対側の側面（図１３、図１４の左側面）や、収納部３７ａの長手方向と直交する方向（図１３、図１４の紙面と垂直方向）の側面に配置可能な構成としても良い。また、図１４では、ケーブル巻取り部３７ｂ側に突起６１を設け、収納部３７ａ側に差し込み穴６３ａ、６３ｂを形成したが、ケーブル巻取り部３７ｂ側に差し込み穴を形成し、収納部３７ａ側の複数の位置に突起を設けても良い。
【００４９】
図１５は、本発明の第３実施形態に係るＩＣカードリーダー取付部３１を有する操作部１の平面図であり、図１６及び図１７は、それぞれ第３実施形態のＩＣカードリーダー取付部３１の側面図及び斜視図である。本実施形態では、操作部１を構成するＩＣカードリーダー取付部３１のハウジング本体３２ａと操作パネル３０とが分割して形成されており、ハウジング本体３２ａは支持部５５を介してカラー複合機１００の上ハウジング２１に連結されている。
【００５０】
また、支持部５５は第１回転軸５７により上ハウジング２１に対して上下方向（図１６の矢印ＡＡ′方向）に回動可能に支持されている。さらに、ハウジング本体３２ａは第２回転軸５８により支持部５５に対し左右方向（図１７の矢印ＢＢ′方向）に回動可能に支持されている。ＩＣカードリーダー取付部３１の内部構成については第１実施形態と同様であるため説明を省略する。
【００５１】
本実施形態の構成によれば、ＩＣカードリーダー取付部３１を支持部５５と共に操作パネル３０とは独立して上下に回動させることができる。従って、図１８に示すようにＩＣカードリーダー取付部３１を下方向（矢印Ａ方向）に回動させることで、透明カバー３３（ＩＣカード接触面）の位置を低くして前方に傾斜させることができ、背の低いユーザーである場合やユーザーが車椅子利用者である場合、或いは椅子に座った状態で装置を使用する場合にＩＣカードリーダー５０の操作性が向上する。
【００５２】
また、図１５に示すように、第１回転軸５７は操作パネル３０の基端部（図１５の上端部）を貫通するように配置されており、操作パネル３０も上ハウジング２１に対して上下方向に回動可能に支持されている。従って、図１９に示すように操作パネル３０を下方向（矢印Ａ方向）に回動させることで、背の低いユーザーである場合やユーザーが車椅子利用者である場合、或いは椅子に座った状態で装置を使用する場合に操作パネル３０の操作性が向上する。
【００５３】
さらに、図２０に示すように、ＩＣカードリーダー取付部３１を支持部５５に対し第２回転軸５８周りに右方向（矢印Ｂ方向）に回転させることにより、透明カバー３３（ＩＣカード接触面）が斜め横向きに傾斜する。これにより、カラー複合機１００の横からでもＩＣカードリーダー取付部３１にＩＣカードを接触させることができる。即ち、ユーザーの使用態様に応じてＩＣカードリーダー取付部３１のＩＣカード接触面の方向や傾きを任意に変更することができる。
【００５４】
その他本発明は、上記各実施形態に限定されず、本発明の趣旨を逸脱しない範囲で種々の変更が可能である。例えば、取付ベース３７や取付アタッチメント４０の形状、サイズ等は、搭載されるＩＣカードリーダー５０の仕様に応じて任意に設計することができる。
【００５５】
また、上記実施形態では両面に第１取付面４１、第２取付面４３が形成された１種類の取付アタッチメント４０を使用したが、厚みや形状の異なる複数種の取付アタッチメント４０を用意しておくことで、さらに多様なＩＣカードリーダー５０に対応可能なＩＣカードリーダー取付部３１となる。
【００５６】
また、本発明のＩＣカードリーダー取付部３１は、図１に示したカラー複合機に限らず、カラープリンターやデジタル或いはアナログ方式のモノクロ複合機、モノクロプリンター、インクジェット方式の画像形成部を備えたカラー複合機やカラープリンター等、他の画像形成装置にも適用でき、画像形成装置以外の電子機器のＩＣカードリーダー取付部にも適用できるのはもちろんである。
【産業上の利用可能性】
【００５７】
本発明は、ＩＣカードリーダーが搭載される画像形成装置等の電子機器に利用可能である。本発明の利用により、簡単な作業で複数種のＩＣカードリーダーを取り付け可能なＩＣカードリーダー取付部を提供することができる。
【符号の説明】
【００５８】
１                操作部
３０              操作パネル
３１              ＩＣカードリーダー取付部
３２              ハウジング
３２ａ            ハウジング本体
３２ｂ            カバー部
３３              透明カバー
３７              取付ベース
３７ａ            収納部
３７ｂ            ケーブル巻取り部
４０              取付アタッチメント
４１              第１取付面
４３              第２取付面
５０              ＩＣカードリーダー
５１              ＵＳＢケーブル
５３              ＵＳＢコネクター
６０              回動支点
６１              突起
６３ａ、６３ｂ    差し込み穴
１００            カラー複合機
【図１】
0005663458.tif 000002
【図２】
0005663458.tif 000003
【図３】
0005663458.tif 000004
【図４】
0005663458.tif 000005
【図５】
0005663458.tif 000006
【図６】
0005663458.tif 000007
【図７】
0005663458.tif 000008
【図８】
0005663458.tif 000009
【図９】
0005663458.tif 000010
【図１０】
0005663458.tif 000011
【図１１】
0005663458.tif 000012
【図１２】
0005663458.tif 000013
【図１３】
0005663458.tif 000014
【図１４】
0005663458.tif 000015
【図１５】
0005663458.tif 000016
【図１６】
0005663458.tif 000017
【図１７】
0005663458.tif 000018
【図１８】
0005663458.tif 000019
【図１９】
0005663458.tif 000020
【図２０】
0005663458.tif 000021